(57)【特許請求の範囲】
【請求項１】
以下の式（６）：
【化１】
0005025064.tif 000023
［式中：
Ａｒ1は、−ＯＨ、−ＳＯ3Ｈ、−ＣＯＯＨ、Ｃ1-4−アルキル、Ｃ1-4−アルコキシ若しくはニトロの１以上で置換されてもよいフェニル又はナフチルであり；
Ｚ1は、Ｃ1-4−アルキル、カルボキシ若しくはスルホで置換されてもよいモルホリノ又はピロリジニルであり；
Ｒ2は、Ｈ又は−ＯＨ、−ＣＯＯＨ若しくは−ＳＯ3Ｈで置換されてもよいＣ1-4−アルキルであり；そして
ｔは、０又は１である；］
の化合物又はその塩。
【請求項２】
（ａ）一つ又はそれ以上の請求項１に記載の化合物；及び
（ｂ）請求項１に記載の化合物以外の、一つ又はそれ以上の水溶性マゼンタ染料；
を含む組成物。
【請求項３】
（ａ）請求項１に記載の化合物、又は請求項２に記載の組成物；及び
（ｂ）液体媒体；
を含むインク。
【請求項４】
（ａ）請求項１で定義された式（６）の化合物；及び
（ｂ）水及び有機溶媒の混合物；又は水を含まない有機溶媒を含む液体媒体；を含むインク。
【請求項５】
被印刷物上に、請求項１記載の化合物又は請求項２に記載の組成物を含むインクを、インクジェット印刷機によって適用することを含む、イメージを被印刷物上に印刷するための方法。
【請求項６】
請求項３又は４に記載のインク、或いは請求項５に記載の方法によって印刷された被印刷物。
【請求項７】
容器及びインクを含み、ここにおいて前記インクは前記容器中に存在し、そして前記インクは請求項１に記載の化合物又は請求項２に記載の組成物を含むインクジェット印刷機用カートリッジ。
【請求項８】
インクジェット印刷機用カートリッジを含み、ここにおいて前記インクジェット印刷機用カートリッジが請求項７に定義した通りである、インクジェット印刷機。
【発明の詳細な説明】
【０００１】
本発明は、染料、インク及びインクジェット印刷機（“ＩＪＰ”）におけるその使用に関する。
【０００２】
ＩＪＰは、ノズルを被印刷物に接触させることなく、インクの液滴が被印刷物上に微細なノズルから射出される非衝撃性の印刷技術である。
ＩＪＰに使用される染料及びインクには、多くの過酷な性能要求が存在する。例えば、これらは、好ましくは良好な耐水堅牢性、耐光堅牢性及び光学濃度を有する、鮮明なにじみのないイメージを提供する。インクは、しばしば被印刷物に適用された場合に、にじみを防ぐために迅速に乾燥することを必要とするが、しかしこれらは、インクジェットのノズルの先端に印刷機の作動を停止させるような、硬皮を形成してはならない。インクは、また、長期間の期間保存できるように、分解又は微細なノズルを閉塞することができる沈殿物を形成することなく、安定でなければならない。
【０００３】
本発明の第１の側面によれば、以下の式（１）：
【０００４】
【化４】
0005025064.tif 000002
【０００５】
のモノアゾ化合物及びその塩が提供され、
式中：
Ｄは、モノアゾ発色団の残基であり；
Ｚは、所望により置換された含窒素複素環基であり；
Ｒ1は、Ｈ又は所望により置換されたアルキルであり；
式（１）の染料は繊維反応性基を含まず；
但し、式（１）の化合物は、以下の式（Ａ）：
【０００６】
【化５】
0005025064.tif 000003
【０００７】
の化合物以外であることを条件とする。
Ｒ1は、好ましくはＨ又は所望により置換されたＣ1-4−アルキル、更に好ましくはＨ又は所望によりヒドロキシ、カルボキシ、スルホ又はシアノにより置換されたＣ1-4−アルキルである。例えば、メチル、エチル、ｎ−プロピル、イソ−プロピル、ヒドロキシエチル、シアノエチル、スルホプロピル及びカルボキシエチルが含まれる。Ｒ1がＨであることが特に好ましい。
【０００８】
Ｚによって示される含窒素複素環基は、好ましくは複素環基中の窒素原子の結合によって、式（１）のトリアジン環に結合している。
Ｚは、一つより多い窒素原子を含んでいてもよい。Ｚは、更に窒素に加えて他の異種原子、例えば一つ又はそれ以上の硫黄又は酸素原子を含んでいてもよい。
【０００９】
Ｚは、飽和、不飽和又は芳香族であることができる単環式又は多環式の含窒素複素環であってもよい。然しながらＺが、二環式又は、更に好ましくは単環式含窒素複素環基であることが好ましい。Ｚが、６員又は更に特に５員の単環式含窒素複素環基であることが特に好ましい。
【００１０】
好ましくはＺは、第一及び第二アミノ基を含まない。なぜなら我々はこのような基の存在が、式（１）の化合物の耐光堅牢性を減少させることを見出したからである。
【００１１】
Ｚによって示される好ましい基は、モルホリノ、ピロリル、イミダゾリル、イソインドリル、インダゾリル、ピラゾリル、ピロリジニル、ピロリニル、イミダゾリジニル、イミダゾリニル、ピラゾリジニル、ピラゾリニル、ピペリジノ、ピペラジニル、インドリニル、イソインドリニル、イソチアゾリノン、ベンゾイソチアゾリノン又はテトラヒドロイソキノリニルを含み、これらのそれぞれは所望により置換されている。
【００１２】
Ｚの好ましい所望による置換基は、スルホ、カルボキシ、ハロゲン（好ましくは塩素）、アルコキシ（好ましくはＣ1-6−アルコキシ）又は所望によりヒドロキシ、カルボキシ若しくはスルホで置換されたアルキル（（好ましくはＣ1-6−アルキル）を含む。Ｚの特に好ましい所望による置換基は、Ｃ1-4−アルキル、カルボキシ又はスルホである。
【００１３】
Ｚが、所望によりＣ1-4−アルキル、カルボキシ又はスルホで置換されたモルホリノ又はピロリジニルであることが特に好ましい。
Ｄによって示されるモノアゾ基は、一つのアゾ基（−Ｎ＝Ｎ−）を含む。好ましいＤは、以下の式（２）：
Ａｒ−Ｎ＝Ｎ−Ｌ−
式（２）
の基であり、
式中：
Ａｒは、所望により置換されたアリール又は所望により置換されたヘテロアリールであり；そして
Ｌは、所望により置換されたアリーレンである。
【００１４】
Ａｒによって示される好ましい基は、２０個まで、更に好ましくは１５個まで、そして特に１２個までの炭素原子を含む。
Ａｒが所望により置換されたアリールである場合、これは、好ましくは所望により置換されたフェニル、所望により置換されたナフチル又は所望により置換されたインダニルである。
【００１５】
Ａｒが所望により置換されたヘテロアリールである場合、これは、好ましくは所望により置換されたピラゾロニル、所望により置換されたピリドニル（特に所望により置換されたヒドロキシピリドニル）、所望により置換されたチオフェニル、所望により置換されたチアゾリル又は所望により置換されたベンゾイソチアゾリルである。
【００１６】
好ましくはＡｒは、所望により置換されたフェニル又は所望により置換されたナフチルである。
Ａｒの好ましい所望による置換基は、ハロゲン（特にＦ及びＣｌ）、ニトロ、シアノ、−ＣＦ3、−ＯＲ2、−ＳＲ2、−ＮＲ3Ｒ4、−Ｃ（Ｏ）Ｒ5、−Ｃ（Ｏ）ＯＲ6、−ＳＯ2Ｒ7、−ＳＯＲ8又は所望により−ＯＨ、−ＳＯ3Ｈ、−ＣＯＯＨ、−ＰＯ3Ｈ2、Ｃ1-4−アルコキシ若しくはヒドロキシ−Ｃ1-4−アルキレン−オキシで置換されたＣ1-6−アルキルを含み；
ここにおいて：
Ｒ2は、Ｈ、所望により−ＯＨ、−ＳＯ3Ｈ又は−ＣＯＯＨで置換されたＣ1-6−アルキル、或いは所望によりＣ1-4−アルキル、−ＯＨ、−ＳＯ3Ｈ、−ＣＯＯＨ、−ＮＨ2又は−ＮＯ2で置換されたフェニルであり；
Ｒ3及びＲ4は、それぞれ独立にＨ、−ＣＯ（Ｃ1-6−アルキル）、−ＣＯＮＨ2、所望により−ＯＨ、−ＳＯ3Ｈ若しくは−ＣＯＯＨで置換されたＣ1-6−アルキル、又は所望によりＣ1-4−アルキル、−ＯＨ、−ＳＯ3Ｈ、−ＣＯＯＨ、−ＮＨ2若しくは−ＮＯ2で置換されたフェニル；或いは
Ｒ3及びＲ4は、これらが結合している窒素といっしょに５−又は６−員の環（好ましくはモルホリン又はピペラジン）を形成し；そして
Ｒ6、Ｒ7、Ｒ8及びＲ9は、それぞれ独立にＣ1-6−アルキル又はフェニルである。
【００１７】
Ａｒの特に好ましい所望による置換基は、一つ又はそれ以上の、Ｃ1-4−アルキル、Ｃ1-4−アルコキシ、−ＯＨ、−ＣＯＯＨ、−ＰＯ3Ｈ2、−ＳＯ3Ｈ、ニトロ、−Ｃｌ、−Ｆ、−ＣＦ3、アミノ及び−ＣＯＯＣ1-4−アルキルを含む。
【００１８】
Ａｒによって示される基の好ましい例は、２−カルボキシフェニル、３，５−ジカルボキシフェニル、２−スルホフェニル、３−スルホフェニル、２−カルボキシ−４−スルホフェニル、３，４−ジメチル−６−スルホフェニル、４−アミノ−２−ヒドロキシフェニル、４−カルボキシ−２−ヒドロキシフェニル、１，５−ジスルホナフト−２−イル、１−スルホナフト−２−イル、３，６，８−トリスルホナフト−２−イル、８−ヒドロキシ−２，４−ジスルホナフト−１−イル、１−アミノ−８−ヒドロキシ−３，６−ジスルホナフト−２−イル、２−アミノ−８−ヒドロキシ−６−スルホナフト−１−イル、２−アミノ−８−ヒドロキシ−６−スルホナフト−７−イル、２−アミノ−８−ヒドロキシ−３，６−スルホナフト−１−イル又は６−スルホ−インダン−５−イルを含む。
【００１９】
好ましいＬは、所望により置換されたフェニレン又は所望により置換されたナフチレンである。Ｌの好ましい所望による置換基は、Ａｒに関して本明細書中で先に記載したような好ましい所望による置換基である。
【００２０】
Ｌが、所望により置換されたフェニレンである場合、これは、好ましくは以下の式（３）：
【００２１】
【化６】
0005025064.tif 000004
【００２２】
の基であり、
式中：
Ｇは、スルホ、カルボキシ、所望により置換されたアルキル、所望により置換されたアルコキシ、−ＣＦ3又は−ＰＯ3Ｈ2であり；そして
ｎは、０ないし４である。
【００２３】
好ましくはＧは、−ＳＯ3Ｈ、−ＣＯＯＨ、−ＣＦ3、所望により置換されたＣ1-4−アルキル、所望により置換されたＣ1-4−アルコキシ、又は−ＰＯ3Ｈ2、更に好ましくは−ＳＯ3Ｈ、−ＣＯＯＨ又は−ＣＦ3、そして特に−ＳＯ3Ｈである。Ｇの好ましい所望による置換基は、−ＯＨ、−ＳＯ3Ｈ、−ＣＯＯＨ及び−ＮＨ2から選択され、更に好ましくは−ＯＨである。
【００２４】
ｎは、好ましくは０、１又は２、更に好ましくは１又は２、そして特に１である。
Ｌが、式（３）のものである場合、これが、Ｇで示される置換基を、式（２）のアゾ基に対してオルト位に所望により保有する、１，４−フェニレン基であることが特に好ましい。
【００２５】
Ｌが所望により置換されたナフチレンである場合、好ましくはこれは、以下の式（４）：
【００２６】
【化７】
0005025064.tif 000005
【００２７】
のものであり、
式中：
Ｇは、本明細書中で先に定義した通りであり；そして
ｑは、０ないし４である。
【００２８】
好ましくはｑは、１ないし４である。好ましくは式（４）の基は、少なくとも一つ、更に好ましくは二つのスルホ基を有する。式（４）の化合物が、以下の式（５）：
【００２９】
【化８】
0005025064.tif 000006
【００３０】
のものであることが特に好ましく、
式中：
ｔは、０又は１である。
【００３１】
式（５）のｔが１である場合、スルホ基は、好ましくはナフチレン環の４位又は更に好ましくは３位に結合する。好ましくはアゾ基は、式（５）のナフチレン環の７位に結合する。
【００３２】
好ましい態様において、Ｌは、ナフチレン基、好ましくは本明細書中で先に記載したような式（５）の基である。
式（１）の化合物が、色がマゼンタであることが特に好ましい。
【００３３】
上記の選択の観点において、式（１）の化合物は、好ましくは以下の式（６）：
【００３４】
【化９】
0005025064.tif 000007
【００３５】
の化合物又はその塩であり、
式中：
Ａｒ1は、所望により置換されたフェニル又は所望により置換されたナフチルであり；
Ｚ1は、所望により置換された含窒素複素環基であり、これは当該複素環基中の窒素原子との結合によってトリアジン環に結合し；
Ｒ2は、Ｈ又は所望により−ＯＨ、−ＣＯＯＨ若しくは−ＳＯ3Ｈで置換されたＣ1-4−アルキルであり；そして
ｔは、０又は１である。
【００３６】
好ましくはＺ1は、複素環基が、複素環基中の窒素原子の結合によって式（６）中のトリアジン環に結合している以外は、Ｚに対して本明細書中で先に定義した通りである。更に好ましくは、Ｚ1は、所望により置換された５又は６員の複素環基である。Ｚ1が、第一又は第二アミノ基を含んでいないことが特に好ましい。更に特にＺ1は、モルホリノ又はピロリジニルであり、これらのそれぞれは、Ｃ1-4−アルキル、カルボキシ又はスルホで所望により置換されている。
【００３７】
Ａｒ1の好ましい所望による置換基は、Ａｒに関して本明細書中で先に定義した通りである。Ａｒ1が、フェニル又はナフチルであり、これらのそれぞれが一つ又はそれ以上の−ＯＨ、−ＳＯ3Ｈ、−ＣＯＯＨ、−ＮＨ2、Ｃ1-4アルキル、Ｃ1-4アルコキシ又はニトロで置換されていることが特に好ましい。
【００３８】
ｔが１である場合、式（１）の位置の固定されていないスルホ基は、好ましくはナフチレン環の３又は４位に結合する。更に好ましくはｔは１であり、そして位置の固定されていないスルホ基は３位に結合する。
【００３９】
式（６）の化合物は、インクジェット印刷機用のインクに組み込まれた場合、高い耐光堅牢性及び良好な耐水堅牢性を示す印刷物を与える。式（６）の化合物は、高度に可溶性でもあり、これは、操作性を改良し、そして化合物を含むインクをインクジェット印刷機で使用した場合、硬皮の形成及びノズルの閉塞を減少させる。
【００４０】
本発明の式（１）の化合物は、繊維反応性基を含まない。繊維反応性基（ｆｉｂｒｅ  ｒｅａｃｔｉｖｅ  ｇｒｏｕｐ）の用語は、当技術において公知であり、そして例えば欧州特許出願公開０３５６０１４Ａ１に記載されている。繊維反応性基は、適当な条件下でセルロース系繊維中に存在するヒドロキシル基又は天然繊維中に存在するアミノ基と反応して、繊維及び染料間で共有結合を形成することが可能である。式（１）の化合物から除外される繊維反応性基の例として、硫黄原子に対してベータ位に硫酸エステル基を含む脂肪族スルホニル基、例えばベータ−スルファト−エチルスルホニル基、脂肪族カルボン酸のアルファ−、ベータ−不飽和アシル基、例えばアクリル酸アルファ−クロロ−アクリル酸、アルファ−ブロモアクリル酸、プロピオル酸、マレイン酸並びにモノ−及びジクロロマレイン酸；更にアルカリの存在中でセルロースと反応する置換基を含む酸のアシル基、例えばクロロ酢酸、ベータ−クロロ及びベータ−ブロモプロピオン酸並びにアルファ、ベータ−ジクロロ及びジブロモプロピオン酸のようなハロゲン化脂肪酸の基、或いはビニルスルホニル−若しくはベータ−クロロエチルスルホニル−又はベータ−スルフェートエチル−スルホニル−エンド−メチレンシクロヘキサンカルボン酸の基を挙げることができる。セルロース反応性基の他の例は、テトラフルオロシクロブチルカルボニル、トリフルオロ−シクロブテニルカルボニル、テトラフルオロシクロブチルエテニルカルボニル、トリフルオロ−シクロブテニルエテニルカルボニル；活性化ハロゲン化１，３−ジシアノベンゼンの基；及び１、２又は３個の窒素原子を複素環中に含み、そして少なくとも一つのセルロース反応性置換基を環の炭素原子に含む複素環基である。
【００４１】
本発明の化合物は、遊離酸又は塩の形態であることができる。好ましい塩は、水溶性、例えばアルカリ金属塩、特にリチウム、ナトリウム及びカリウム塩、アンモニウム、置換されたアンモニウム及びこれらの混合された塩である。好ましいアルカリ金属塩は、ナトリウム又はリチウムのものである。化合物が混合リチウムナトリウム塩の形態であることが特に好ましい。なぜなら我々はこれらの塩がインクジェット印刷機用インクに組み込まれた場合、高い耐光堅牢性を示す印刷物を与えることが見出しているからである。
【００４２】
好ましいアンモニウム及び置換されたアンモニウム塩は、式+ＮＶ4のカチオンを有し、ここにおいてそれぞれのＶは、独立にＨ又は所望により置換されたアルキルであるか、或いはＶで示される二つの基が、Ｈ又は所望により置換されたアルキルであり、そしてＶで示される残りの二つの基が、これらが結合しているＮ原子といっしょに、５員又は６員の環（好ましくはモルホリノ、ピリジニル又はピペリジニル環）を形成する。
【００４３】
好ましくはＶは、独立にＨ又はＣ1-4−アルキル、更に好ましくはＨ、ＣＨ3又はＣＨ3ＣＨ2、特にＨである。従ってカチオンは、好ましくはアンモニウム（即ち+ＮＨ4）である。
【００４４】
カチオンの例は、+ＮＨ4、モルホリニウム、ピペリジニウム、ピリジニウム、（ＣＨ3）3Ｎ+Ｈ、（ＣＨ3）2Ｎ+Ｈ2、Ｈ2Ｎ+（ＣＨ3）（ＣＨ2ＣＨ3）、ＣＨ3Ｎ+Ｈ3、ＣＨ3ＣＨ2Ｎ+Ｈ3、Ｈ2Ｎ+（ＣＨ2ＣＨ3）2、ＣＨ3ＣＨ2ＣＨ2Ｎ+Ｈ3、ＣＨ3ＣＨ2ＣＨ2Ｎ+Ｈ3、（ＣＨ3）2ＣＨＮ+Ｈ3、Ｎ+（ＣＨ3）4、Ｎ+（ＣＨ2ＣＨ3）4、Ｎ−メチルピリジニウム、Ｎ，Ｎ−ジメチルピペリジニウム及びＮ，Ｎ−ジメチルモルホリニウムを含む。
【００４５】
化合物は、既知の技術を使用して塩に転換することができる。例えば、化合物のアルカリ金属塩は、染料のアルカリ金属塩を水に溶解し、無機酸で酸性化し、そして溶液のｐＨをアンモニア又はアミンでｐＨ９ないし９．５に調節し、そしてアルカリ金属カチオンを透析によって除去することによって、アンモニア又はアミンの塩に転換することができる。
【００４６】
本発明は、本明細書中に示した染料の全ての互変異性の形態、例えばヒドラゾ互変異性体を包含する。
本発明の化合物は、アゾ染料の調製に対する慣用的な技術を使用して調製することができる。例えば、適当な方法は、以下の式（７）：
【００４７】
【化１０】
0005025064.tif 000008
【００４８】
の化合物を加水分解することを含み、式中、Ｄ、Ｚ及びＲ1は、本明細書中で先に定義した通りである。
加水分解は、好ましくは式（７）の化合物を水性媒体中で加熱することによって行われる。好ましくは加水分解はアルカリ性の条件下、更に好ましくは８ないし１４の範囲のｐＨで行われる。加水分解中の温度は、好ましくは３０ないし９５℃、更に好ましくは４０ないし９０℃である。加水分解の効率は、適当な触媒を使用することによって、例えば触媒量の１，４−ジアザビシクロ［２．２．２］オクタン（ＤＡＢＣＯ）の存在中で改善させることができる。
【００４９】
縮合反応後、生成物は、反応混合物から、例えば適当なアルカリ金属塩、特に塩化ナトリウムの添加によって、生成物を塩として沈殿させることによって単離することができる。別の方法として、生成物は、反応混合物を、好ましくは無機酸、特に塩酸を使用して酸性化することによってその遊離酸の形態として単離することができる。生成物が固体として沈殿する場合、これは混合物から濾過によって分離することができる。
【００５０】
所望しないアニオンは、上記の方法の生成物から透析、浸透、限外濾過又はこれらの組み合わせによって除去されてもよく、そして好ましくは除去される。
上記の方法の生成物は、本明細書中で先に記載したような慣用的な技術によって、塩に転換することができる。
【００５１】
式（７）の化合物は、例えば：
（ｉ）式ＤＮＨＲ1の化合物を適当なモル等量の塩化シアヌルと縮合し；そして
（ｉｉ）段階（ｉ）の生成物を式ＺＨの化合物と縮合すること；
によって調製することができ、ここにおいてＤ、Ｒ1及びＺは、本明細書中で先に定義した通りである。
【００５２】
好ましくは段階（ｉ）の縮合反応は、５℃又はそれ以下の温度で行われる。縮合反応中のｐＨは、５．５より高く、より好ましくはｐＨ６より高く維持されることが好ましい。
【００５３】
段階（ｉｉ）の縮合反応は、好ましくは室温（２０−３０℃）で行われる。好ましくは縮合反応中のｐＨは、ｐＨ７ないし８．５の範囲に維持される。
式ＤＮＨＲ1の化合物は、アゾ染料の調製に対する慣用的な技術を使用して調製することができる。例えばＤが、本明細書中の先の以下の式（２）：
Ａｒ−Ｎ＝Ｎ−Ｌ−
式（２）
である場合、化合物は、例えば式ＡｒＮＨ2の化合物をジアゾ化し、そして式ＬＮＨＲ1の化合物と慣用的な技術を使用してカップリングすることによって調製することができる。
【００５４】
本発明は、更に二つ又はそれ以上の式（１）の化合物を含む混合物を包含する。更に、式（１）の化合物は、商業的に入手可能な染料、特にＣｏｌｏｕｒ  Ｉｎｄｅｘ  Ｉｎｔｅｒｎａｔｉｏｎａｌ中に記載されているものと混合して、色調又は他の特性を所望するように調節することができる。
【００５５】
本発明の第２の側面によれば：
（ａ）一つ又はそれ以上の本発明の第１の側面による化合物（特にマゼンタ色の化合物）；及び
（ｂ）一つ又はそれ以上の本発明の第１の側面による化合物以外の水溶性マゼンタ染料；
を含む組成物が提供される。
【００５６】
水溶性マゼンタ染料は、好ましくはキサンテン染料、アゾ又はビスアゾ染料、更に好ましくはアニオン性アゾ又はビスアゾ染料、そして特にスルホネート、カルボキシレート及びチオカルボキシレートから選択される一つ又はそれ以上の基を含むアゾ又はビスアゾ染料である。
【００５７】
好ましい水溶性マゼンタ染料は、Ｃ．Ｉ．酸性赤（Ａｃｉｄ  Ｒｅｄ）５０、５２、８７、９１、９２、９５、２４９及び２８９；Ｃ．Ｉ．直接バイオレット（Ｄｉｒｅｃｔ  Ｖｉｏｌｅｔ）１０６及び１０７；国際特許出願公開ＷＯ９６／２４６３６の８及び９頁に記載されている化合物１００ないし１０７、２００及び２０１；米国特許第５，５４２，９７０号の第４ないし１０欄に記載され示されている化合物１ないし２４；欧州特許出願公開Ａ−６８２  ０８８の７ないし１７頁に記載されている化合物１ないし５５；欧州特許出願公開Ａ−１９４，８８５の実施例１ないし６に示されている化合物１ないし１４；欧州特許出願公開Ａ−７１７  ０８９の８ないし１３頁に記載されている化合物１ないし２４；米国特許第５，２６２，５２７号の第５ないし１１欄の実施例１ないし１６に記載されている化合物；及び国際特許出願公開ＷＯ９４／１６０２１の実施例１ないし２１に記載されている染料を含む。
【００５８】
本発明の第２の側面による組成物中に使用するために特に好ましい水溶性マゼンタ染料は、Ｃ．Ｉ．酸性赤５２、Ｃ．Ｉ．酸性赤２８９又は以下の式（８）、（９）及び（１０）：
【００５９】
【化１１】
0005025064.tif 000009
【００６０】
の染料並びにその塩を含む。
式（８）の化合物は、欧州特許第０  ５５９  ３１０号の実施例１に記載されている方法を使用して調製することができる。式（９）の染料は、国際特許出願公開ＰＣＴ公開番号ＷＯ９４／１６０２１の実施例３に記載されている方法を使用して調製することができる。式（１０）の染料は、国際特許出願公開ＷＯ９６／２４６３６の実施例１に記載されている方法を使用して調製することができる。
【００６１】
本発明の第２の側面による組成物は、好ましくは：
（ａ）合計が、１ないし９９、更に好ましくは３ないし７０、そして特に５ないし５０部の本発明の第１の側面による化合物（複数でもよい）；及び
（ｂ）合計が、９９ないし１、更に好ましくは３０ないし９７部、そして特に９５ないし５０部の水溶性マゼンタ染料（複数でもよい）；
を含み、ここにおいて部はすべて重量であり、そして部の合計（ａ）＋（ｂ）＝１００である。
【００６２】
組成物は、式（１）の単一の染料又はこれらの混合物を含むことができる。同様に、組成物は、単一の水溶性マゼンタ染料又は二つ又はそれ以上の水溶性マゼンタ染料の混合物を含むことができる。
【００６３】
本発明の第１及び第２の側面による化合物並びに組成物は、これらがインクジェット印刷用インクに組み込まれる前に、所望しない不純物を除去するために精製されてもよく、そして好ましくは精製される。慣用的な技術、例えば限外濾過、逆浸透及び／又は透析を精製に対して使用してもよい。
【００６４】
本発明の第３の側面によれば：
（ａ）本発明の第１の側面による化合物、又は本発明の第２の側面による組成物；及び
（ｂ）液体媒体；
を含むインクが提供される。
【００６５】
好ましくはインクの成分（ａ）は、本発明の第１又は第２の側面に関して本明細書中で先に記載したような好ましい化合物又は組成物の一つである。更に好ましくは成分（ａ）は、一つ又はそれ以上の本明細書中で先に定義した通りの式（１）又は式（６）の化合物或いはその塩である。
【００６６】
液体媒体は、好ましくは：
（ｉ）水；
（ｉｉ）水及び有機溶媒の混合物；又は
（ｉｉｉ）水を含まない有機溶媒；
を含む。
【００６７】
インクの成分（ａ）の重量部の数字は、好ましくは０．０１ないし３０、更に好ましくは０．１ないし２０、特に０．５ないし１５、そして更に特に１ないし５部である。成分（ｂ）の重量部の数字は、好ましくは９９．９９ないし７０、更に好ましくは９９．９ないし８０、特に９９．５ないし８５、そして更に特に９９ないし９５部である。部の数字（ａ）＋（ｂ）は、１００である。
【００６８】
好ましくは成分（ａ）は、成分（ｂ）に完全に溶解する。好ましくは成分（ａ）は、成分（ｂ）中の２０℃における少なくとも１０％の溶解度を有する。これは、更に希釈したインクの調製に使用することができる濃縮物の調製を可能にし、そして保存中に液体媒体の蒸発が起こった場合、インクの成分（ａ）の化合物が沈殿する機会を減少する。
【００６９】
液体媒体が水及び有機溶媒の混合物を含む場合、水と有機溶媒の重量比は、好ましくは９９：１ないし１：９９、更に好ましくは９９：１ないし５０：５０、そして特に９５：５ないし８０：２０である。
【００７０】
水及び有機溶媒の混合物中に存在する有機溶媒が、水混和性有機溶媒又はこのような溶媒の混合物であることが好ましい。好ましい水混和性有機溶媒は、Ｃ1-6−アルカノール、好ましくはメタノール、エタノール、ｎ−プロパノール、イソプロパノール、ｎ−ブタノール、ｓｅｃ−ブタノール、ｔｅｒｔ−ブタノール、ｎ−ペンタノール、シクロペンタノール及びシクロヘキサノール；直鎖アミド、好ましくはジメチルホルムアミド又はジメチルアセトアミド；ケトン及びケトンアルコール、好ましくはアセトン、メチルエチルケトン、シクロヘキサノン及びジアセトンアルコール；水混和性エーテル、好ましくはテトラヒドロフラン及びジオキサン；ジオール、好ましくは２ないし１２個の炭素原子を有するジオール、例えばペンタン−１，５−ジオール、エチレングリコール、プロピレングリコール、ブチレングリコール、ペンチレングリコール、ヘキシレングリコール及びチオジグリコール並びにオリゴ−及びポリ−アルキレングリコール、好ましくはジエチレングルコール、トリエチレングリコール、ポリエチレングリコール及びポリプロピレングリコール；トリオール、好ましくはグリセリン及び１，２，６−ヘキサントリオール；ジオールのモノ−Ｃ1-4−アルキルエーテル、好ましくは２ないし１２個の炭素原子を有するジオールのモノ−Ｃ1-4−アルキルエーテル、特に２−メトキシエタノール、２−（２−メトキシエトキシ）エタノール、２−（２−エトキシエトキシ）−エタノール、２−［２−（２−メトキシエトキシ）エトキシ］エタノール、２−［２−（２−エトキシエトキシ）−エトキシ］−エタノール及びエチレングリコールモノアリルエーテル；環式アミド、好ましくは２−ピロリドン、Ｎ−メチル−２−ピロリドン、Ｎ−エチル−２−ピロリドン、カプロラクタム及び１，３−ジメチルイミダゾリドン；環式エステル、好ましくはカプロラクトン；スルホキシド、好ましくはジメチルスルホキシド及びスルホランを含む。好ましくは液体媒体は、水及び２種類又はそれ以上の、特に２ないし８種類の水溶性有機溶媒を含む。
【００７１】
水及び一つ又はそれ以上の有機溶媒の混合物を含む、更なる適当なインク媒体の例は、米国特許第４，９６３，１８９号、米国特許第４，７０３，１１３号、米国特許第４，６２６，２８４号、欧州特許出願公開４２５，１５０Ａ、及び米国特許第５，２０７，８２４号中に記載されている。
【００７２】
液体媒体が水を含まない有機溶媒（即ち１重量％より少ない水）を含む場合、溶媒は、好ましくは３０°ないし２００℃、更に好ましくは４０°ないし１５０℃、特に５０ないし１２５℃の沸点を有する。有機溶媒は、水非混和性、水混和性又はこのような溶媒の混合物であることができる。好ましい水混和性有機溶媒は、本明細書中で先に記載した水混和性有機溶媒及びそれらの混合物のいずれでもある。好ましい水非混和性溶媒は、例えば、脂肪族炭化水素；エステル、好ましくは酢酸エチル；塩素化炭化水素、好ましくはＣＨ2Ｃｌ2；及びエーテル、好ましくはジエチルエーテル；並びにこれらの混合物を含む。
【００７３】
液体媒体が水非混和性有機溶媒を含む場合、好ましくは極性溶媒が、これらが液体媒体中の染料の溶解度を向上するために含まれる。極性溶媒の例は、Ｃ1-4−アルコールを含む。上記の選択の観点において、液体媒体が水を含まない有機溶媒である場合、これがケトン（特にメチルエチルケトン）及び／又はアルコール（特にエタノール又はプロパノールのようなＣ1-4−アルコール）を含むことが特に好ましい。
【００７４】
水を含まない有機溶媒は、単一の有機溶媒又は２種類若しくはそれ以上の有機溶媒の混合物であることができる。媒体が水を含まない有機溶媒である場合、これが２ないし５種類の異なった有機溶媒の混合物であることが好ましい。これは、インクの乾燥特性及び保存安定性に対する良好な制御を与える媒体を選択することを可能にする。
【００７５】
水を含まない有機溶媒を含むインク媒体は、迅速な乾燥時間が要求される場合、そして特に疎水性及び非吸収性被印刷物、例えばプラスチック、金属及びガラスに印刷する場合、特に有用である。
【００７６】
特に好ましいインクは：
（ａ）合計１ないし１０部の本発明の第１又は第２の側面による化合物又は組成物；
（ｂ）２ないし６０、更に好ましくは５ないし４０部の水可溶性有機溶媒；及び
（ｃ）３０ないし９７、更に好ましくは４０ないし８５部の水；
を含み、ここにおいて全ての部は重量であり、そして部の合計（ａ）＋（ｂ）＋（ｃ）＝１００である。
【００７７】
インク中の液体媒体が水及び有機溶媒の混合物；又は水を含まない有機溶媒である場合、インクの成分（ａ）は、本発明の第１の側面に関連して本明細書中で定義した通りの式（Ａ）の化合物を含むことができる。
【００７８】
本発明によるインクは、更にインクジェット印刷用インクにおいて慣用的に使用される付加的な成分、例えば粘度及び表面張力改良剤、腐食防止剤、殺細菌剤、コゲーション（ｋｏｇａｔｉｏｎ）減少添加剤、紙の曲がりを減少する抗皺剤及びイオン性又は非イオン性であることができる界面活性剤を含むことができる。
【００７９】
インクのｐＨは、好ましくは４ないし１１、更に好ましくは７ないし１０である。
２５℃におけるインクの粘度は、好ましくは５０ｃＰより低く、更に好ましくは２０ｃＰより低く、そして特に５ｃＰより低い。
【００８０】
本発明によるインクがインクジェット印刷用インクとして使用される場合、インクは、好ましくは５００パーツパーミリオンより少ない、更に好ましくは１００パーツパーミリオンより少ない濃度のハロゲン化物イオンを含む。インクが、１００より低い、更に好ましくは５０パーツパーミリオンより低い二価及び三価金属を有することが特に好ましく、ここにおいてパーツは、インクの全重量に対する重量パーツを指す。我々はこれらの所望しないイオンの濃度を減少するためにインクを精製することが、特に熱式インクジェット印刷機のインクジェット印刷用ヘッドのノズルの閉塞を減少させることを見出している。
【００８１】
本発明の第４の側面は、本発明の第１の側面による化合物、本発明の第２の側面による組成物又は本発明の第１の側面に関連して定義された通りの式（Ａ）の化合物を含むインクをインクジェット印刷機によって適用することを含む、被印刷物上にイメージを印刷するための方法を提供する。
【００８２】
この方法に使用されるインクは、好ましくは本発明の第３の側面において定義した通りである。
インクジェット印刷機は、好ましくはインクを、小さいオリフィスから被印刷物上に射出される液滴の形態で被印刷物に適用する。好ましいインクジェット印刷機は、圧電式インクジェット印刷機及び熱式インクジェット印刷機である。熱式インクジェット印刷機において、オリフィスに隣接した抵抗器によって、熱のプログラムされたパルスが容器中のインクに適用され、これによって被印刷物及びオリフィス間の相対的な動きの間に、インクを小さい液滴の形で被印刷物に向かって射出させることを起こす。圧電式インクジェット印刷機において、小さい結晶の振動がオリフィスからのインクの射出を起こす。
【００８３】
被印刷物は、好ましくは紙、プラスチック、織物、金属又はガラス、更に好ましくは紙、オーバーヘッドプロジェクターのスライド又は織物生地、特に紙である。
【００８４】
好ましい紙は、普通紙又は酸性、アルカリ性又は中性の特性を有する処理紙である。商業的に入手可能な処理紙の例は、ＨＰ  Ｐｒｅｍｉｕｍ  Ｃｏａｔｅｄ  Ｐａｐｅｒ、ＨＰ  Ｐｈｏｔｏｐａｐｅｒ（全てＨｅｗｌｅｔｔ  Ｐａｃｋａｒｄ  Ｉｎｃから入手可能）、Ｓｔｙｌｕｓ  Ｐｒｏ  ７２０ｄｐｉ  Ｃｏａｔｅｄ  Ｐａｐｅｒ、Ｅｐｓｏｎ  Ｐｈｏｔｏ  Ｑｕａｌｉｔｙ  Ｇｌｏｓｓｙ  Ｆｉｌｍ、Ｅｐｓｏｎ  Ｐｈｏｔｏ  Ｑｕａｌｉｔｙ  Ｇｌｏｓｓｙ  Ｐａｐｅｒ（Ｓｅｉｋｏ  Ｅｐｓｏｎ  Ｃｏｒｐから入手可能）、Ｃａｎｏｎ  ＨＲ  １０１  Ｈｉｇｈ  Ｒｅｓｏｌｕｔｉｏｎ  Ｐａｐｅｒ、Ｃａｎｏｎ  ＧＰ  ２０１  Ｇｌｏｓｓｙ  Ｐａｐｅｒ、Ｃａｎｏｎ  ＨＧ  １０１  Ｈｉｇｈ  Ｇｌｏｓｓ  Ｆｉｌｍ（全てＣａｎｏｎから入手可能）Ｗｉｇｇｉｎｓ  Ｃｏｎｑｕｅｒｏｒ  ｐａｐｅｒ（Ｗｉｇｇｉｎｓ  Ｔｅａｐｅ  Ｌｔｄから入手可能）、Ｘｅｒｏｘ  Ａｃｉｄ  Ｐａｐｅｒ及びＸｅｒｏｘ  Ａｌｋａｌｉｎｅ  Ｐａｐｅｒ、Ｘｅｒｏｘ  Ａｃｉｄ  Ｐａｐｅｒ（Ｘｅｒｏｘから入手可能）を含む。
【００８５】
本発明の第５の側面は、本発明の第３の側面によるインクで、又は本発明の第４の側面による方法によって印刷された被印刷物、好ましくは紙、オーバーヘッドプロジェクターのスライド又は織物生地を提供する。
【００８６】
本発明の第６の側面によれば、容器及びインクを含み、ここにおいてインクは容器内に存在し、そしてインクが、本発明の第１又は第２の側面による化合物又は組成物を含むインクジェット印刷機のカートリッジが提供される。好ましくはインクは、本発明の第３の側面によるインクである。
【００８７】
本発明の第８の側面によれば、インクジェット印刷機用カートリッジを含むインクジェット印刷機が提供され、ここにおいてインクジェット印刷機用カートリッジは本発明の第７の側面において定義された通りである。
【００８８】
本発明は、更に以下の実施例によって例示され、その中で全ての部及びパーセントは他に言及されない限り重量による。
実施例１
染料（１）
【００８９】
【化１２】
0005025064.tif 000010
【００９０】
染料（１）は、段階（ａ）ないし（ｅ）に従って調製された：
段階（ａ）：１−アミノ−７−（２’−カルボキシフェニルアゾ）−８−ナフトール−３−，６−ジスルホン酸の調製
アントラニル酸（１８．３４ｇ、０．１３５ｍｏｌ）及び硝酸ナトリウム（９．２５ｇ、０．１３４ｍｏｌ）を、水（１００ｍｌ）中にｐＨ７で溶解し、そして濃ＨＣｌ（７５ｍｌ）を５Ｃで加えた。過剰の硝酸塩を少量のスルファミン酸で破壊した。次いでこれをＮ−アセチルＨ酸（７４．３ｇ、０．１３４ｍｏｌ）の水（３００ｍｌ）中の溶液にｐＨ７で加えた。次いでｐＨを７．５−８に上げ、そして反応物を一晩撹拌した。次いでｐＨを濃ＮａＯＨ溶液で１１．５−１２に上げ、そして混合物を８５℃で２−３時間加熱した。次いで濃ＨＣｌでｐＨを３に下げ、そして塩化ナトリウムの添加により生成物を沈殿させた。固体の沈殿物を濾過して取り出し、アセトン中でスラリー化し、そして乾燥して、生成物（５１％濃度）を得た。
【００９１】
段階（ｂ）塩化シアヌルとの縮合
段階（ａ）からの生成物（１０．８ｇ；０．０１５ｍｏｌ）を、水（４００ｍｌｓ）中に、ＮａＯＨの添加によりｐＨ８．０にして溶解した。混合物を＜５℃に冷却してから、アセトン（１００ｍｌｓ）中の塩化シアヌル（３．０ｇ；０．０１５８ｍｏｌ）を加えた。混合物を１時間反応させてから、室温に温めた。次いで過剰の塩化シアヌルを破壊するために、ＮａＯＨをｐＨ７．０に達するまで混合物に加えた。
【００９２】
段階（ｉ）Ｌ−プロリンとの縮合
Ｌ−プロリン（１．９ｇ；０．０１６５ｍｏｌ）を、段階（ｂ）の混合物に加え、そしてｐＨをＮａＯＨで８．０−８．５に調節した。反応は室温で約２時間後完結した（ＨＰＬＣにより確認）。
【００９３】
段階（ｄ）加水分解
水酸化ナトリウム（４６−４８％）を、段階（１）からの混合物に加えて、ｐＨを１２．０−１２．５に上げ、そして混合物を８５℃で１２時間加熱した。次いでＨＣｌを加えて、ｐＨを１．０に調節し、そして塩化ナトリウムを約１５ｗ／ｗ％加えた。得られた沈殿物を混合物から濾過により取り出した。
【００９４】
段階（ｅ）精製
段階（ｄ）からの生成物を少量の水に溶解し、そして次いでメタノール変性アルコール（ｍｅｔｈｙｌａｔｅｄ  ｓｐｉｒｉｔ）中で再沈殿させた。沈殿物を濾過により単離し、そして少量の水に溶解した。次いで混合物をアセトンに加え、そして得られた生成物を濾過により単離した。固体をＮａＯＨと共に水に溶解し、そして溶液を低伝導度（＜１００μｓ）まで透析した。次いで表題化合物を６０℃のオーブンで乾燥した。
【００９５】
実施例２
以下の式（Ｂ）：
【００９６】
【化１３】
0005025064.tif 000011
【００９７】
の染料（２）ないし（５）を、段階（ｉ）において、Ｌ−プロリンの代わりに表１に示した式ＺＨの化合物を使用し；そして段階（ｄ）において、加水分解は約１ｇのＤＡＢＣＯの添加によって触媒された以外は、実施例（１）に記載したものと類似の方法を使用して調製した。
【００９８】
【表１】
0005025064.tif 000012
【００９９】
実施例３
染料６
【０１００】
【化１４】
0005025064.tif 000013
【０１０１】
染料６を、段階（ｉ）において、モルホリンをＬ−プロリンの代わりに使用し、そして段階（ｄ）において加水分解をＤＡＢＣＯの添加によって触媒した以外は、実施例（１）に記載したものと類似の方法を使用して調製した。質量分析法による分析、測定値ｍ／ｚ  ６４６（Ｍ−Ｈ）-。必要値Ｍ+＝６４７。
【０１０２】
実施例４
染料７
【０１０３】
【化１５】
0005025064.tif 000014
【０１０４】
染料７を、段階（ａ）において、Ｎ−アセチルＨ−酸（Ｎ−アセチル−アミノ−８−ナフトール３：６−ジスルホン酸）の代わりに、Ｎ−アセチルＫ−酸（Ｎ−アセチル  １−アミノ−８−ナフトール−４：６−ジスルホン酸）を使用し、そして段階（ｉ）において、２，６−ジメチルモルホリンをＬ−プロリンの代わりに使用し、そして段階（ｄ）において加水分解をＤＡＢＣＯの添加によって触媒した以外は、実施例（１）のように調製した。質量分析法による分析、測定値ｍ／ｚ  ６７４（Ｍ−Ｈ）-。必要値Ｍ+＝６７５。
【０１０５】
実施例５
染料８
【０１０６】
【化１６】
0005025064.tif 000015
【０１０７】
染料８を、モルホリンを２，６−ジメチルモルホリンの代わりに使用した以外は、実施例４の染料７に対するように調製した。質量分析法による分析、測定値ｍ／ｚ  ６４６（Ｍ−Ｈ）-。必要値Ｍ+＝６４７。
【０１０８】
実施例６
【０１０９】
【化１７】
0005025064.tif 000016
【０１１０】
染料９は、以下の段階（ａ）ないし（ｅ）に従って調製された：
段階（ａ）：１−アミノ−７−（２’−スルホフェニルアゾ）−８−ナフトール−３，６−ジスルホン酸の調製
染料９を、段階（ａ）において、オルタニル酸（２−アミノベンゼンスルホン酸）を、アントラニル酸の代わりに使用した以外は、実施例１に記載したものと類似の方法を使用して調製した。
【０１１１】
段階（ｂ）−塩化シアヌルとの縮合
段階（ａ）からの生成物（３８．４ｇ；０．０５ｍｏｌ）を、水（４００ｍｌ）中に、ＮａＯＨの添加によりｐＨ６にして溶解した。混合物を＜５℃に冷却してから、アセトン（１００ｍｌ）中の塩化シアヌル（９．７ｇ；１．０５ｍｏｌ）を加えた。混合物を２時間反応させ、次いでアセトン（１５ｍｌ）中の塩化シアヌル（１．５ｇ）を更に加えてから、室温まで温めた。反応は更に２時間撹拌した後完結した。次いで塩化ナトリウムを加え、そして沈殿した固体を濾過して取り出し、食塩水、アセトンで洗浄し、そして濾過して取り出した。
【０１１２】
段階（ｉ）：２，６−ジメチルモルホリンとの縮合
２，６−ジメチルモルホリン（２．８７ｇ；０．１９ｍｏｌ）を、水（２５０ｍｌｓ）中の段階（ｂ）からの固体（２０ｇ）に加え、そしてｐＨ７．５−８．０で撹拌した。反応は室温で約１４時間後に完結した（ＨＰＬＣにより確認）。反応混合物を低体積まで濃縮し、アセトン（４００ｍｌ）で希釈し、そして沈殿した固体を濾過して取り出し、そしてアセトン（１００ｍｌ）で洗浄した。
【０１１３】
段階（ｄ）加水分解
水酸化ナトリウム（４６−４８％）を、水（１５０ｍｌ）中の段階（ｉ）からの湿ったペースト状物（３２ｇ）に加えて、ｐＨを１２．０−１２．５に上げ、そして混合物を８０℃で７時間加熱した。次いでＨＣｌを加えて、ｐＨを８．５に調節した。反応混合物を低体積（５０ｍｌ）まで濃縮し、そしてアセトン（４００ｍｌ）を加えた。得られた沈殿物を混合物から濾過により取り出し、そしてアセトンで洗浄した。
【０１１４】
段階（ｅ）精製
段階（ｄ）からの生成物を、ＮａＯＨと共に水に溶解し、そして溶液を低伝導度（＜１００μｓ）まで透析した。次いで表題化合物を６０℃のオーブンで乾燥した。
【０１１５】
質量分析法による分析、測定値ｍ／ｚ  ７３２（Ｍ−Ｈ＋Ｎａ）-。必要値Ｍ+＝７１１。
実施例７
染料１０
染料１０を、段階（１）において、モルホリンを２，６−ジメチルモルホリンの代わりに使用した以外は、上記の実施例６のように調製した。測定値ｍ／ｚ  ６８２（Ｍ−Ｈ）-。必要値Ｍ+＝７１１。
【０１１６】
実施例８
染料１１
【０１１７】
【化１８】
0005025064.tif 000017
【０１１８】
染料１１を、段階（ａ）において、２−アミノ−５−メチルベンゼンスルホン酸を、アントラニル酸の代わりに使用し、そして段階（ｉ）において、モルホリンをＬ−プロリンの代わりに使用し、そして段階（ｄ）において加水分解をＤＡＢＣＯの添加によって触媒した以外は、実施例（１）に記載したものと類似の方法を使用して調製した。質量分析法による分析、測定値ｍ／ｚ  ６９６（Ｍ−Ｈ）-。必要値Ｍ+＝６９７。
【０１１９】
実施例９
染料１２
【０１２０】
【化１９】
0005025064.tif 000018
【０１２１】
染料１２を、段階（ａ）において、２−アミノ−５−メチルベンゼンスルホン酸を、アントラニル酸の代わりに使用し、そして段階（ｉ）において、２，６−ジメチルモルホリンをＬ−プロリンの代わりに使用し、そして段階（ｄ）において加水分解をＤＡＢＣＯの添加によって触媒した以外は、実施例（１）に記載したものと類似の方法を使用して調製した。質量分析法による分析、測定値ｍ／ｚ  ７２４（Ｍ−Ｈ）-。必要値Ｍ+＝７２５。
【０１２２】
実施例１０
染料１３
【０１２３】
【化２０】
0005025064.tif 000019
【０１２４】
染料１３を、段階（ａ）において、トビアス酸（２−ナフチルアミン−１−スルホン酸）を、アントラニル酸の代わりに使用し、そして段階（ｉ）において、モルホリンをＬ−プロリンの代わりに使用し、そして段階（ｄ）において加水分解をＤＡＢＣＯの添加によって触媒した以外は、実施例（１）に記載したものと類似の方法を使用して調製した。質量分析法による分析、測定値ｍ／ｚ  ７３２（Ｍ−Ｈ）-。必要値Ｍ+＝７３３。
【０１２５】
実施例１１：インク及びインクジェット印刷
実施例１ないし１０に記載された染料を、３．５部の染料を：
５部の２−ピロリドン；
５部のチオジグリコール；
２部のＳｕｒｆｙｎｏｌ  ４６５（非イオン性界面活性剤、Ａｉｒ  Ｐｒｏｄｕｃｔｓ  Ｉｎｃ．から入手可能）；及び
８８部の水；
を含む９６．５部の媒体（水酸化アンモニウムでｐＨ９．５に調節）中に溶解することによってインク中に処方した。
【０１２６】
得られた溶液を０．４５μｍのフィルターを通して濾過した。染料をインク媒体中に組み込み、そしてインクジェット印刷機を使用して紙に印刷した場合、得られた印刷物は、鮮やかなマゼンタの色調であり、これは高い耐光堅牢性を示した。
【０１２７】
実施例１２：インク
表２、３及び４に示したインクは、２及び３列目に示した染料を、４ないし１４列目に示した液体媒体中に溶解し、適当な塩基（例えばＮａＯＨ）を使用して最後の列に示したインクのｐＨに調節することによって調製することができる。次いで得られた溶液を濾過して、最終的なインクを得る。
【０１２８】
インクは、熱式又は圧電式インクジェット印刷機によって紙に適用することができる。
表２、３及び４において、以下の略語が使用される：
ＰＧ＝プロピレングリコール
ＤＥＧ＝ジエチレングリコール
ＮＭＰ＝Ｎ−メチルピロリドン
ＴＦＰ＝２，２，３，３−テトラフルオロプロパノール
ＣＹＣ＝シクロヘキサノール
２Ｐ＝２−ピロリドン
Ｐ１２＝プロパン−１，２−ジオール
ＵＲ＝尿素
ＣＥＴ＝臭化セチルアンモニウム
ＰＨＯ＝Ｎａ2ＨＰＯ4及び
ＴＢＴ＝ｔ−ブタノール
ＴＤＧ＝チオジグリコール
ＧＬＹ＝グリセリン
Ｐ−１，５＝ペンタン−１，５−ジオール
Ｈ−１，６＝ヘキサン−１，６−ジオール
ＣＡＰ＝カプロラクトン
ＣＡＰ−Ｌ＝カプロラクタム
ＴＥＡ＝トリエタノールアミン
ＥＧ＝エチレングリコール
ＢＵＴ＝γ−ブチロラクトン
ＤＥＧ−ＭＢＥ＝ジエチレングリコールモノブチルエーテル
ＰＥＧ２００＝ポリエチレングリコール（平均分子量２００）
【０１２９】
【表２】
0005025064.tif 000020
【０１３０】
【表３】
0005025064.tif 000021
【０１３１】
【表４】
0005025064.tif 000022